(57)【要約】【課題】振動などの外力が及んでも端子間の電気的接続を適正に維持可能なコネクタを提供すること。【解決手段】コネクタ１は、端子金具１０と、端子金具１０が収容される端子収容室３１を有するハウジング３０と、を備える。端子金具１０は、相手側端子４０を受け入れる筒状の箱部１２と、相手側端子４０に接触するように箱部１２に設けられる端子バネ１９と、を有する。端子バネ１９と相手側端子４０との接触により、端子バネ１９が曲がるように変形するとともに、端子バネ１９の少なくとも一部である接触部（接点部２３の先端部）が箱部１２の筒壁１５に設けられた開口箇所２９を経て端子収容室３１の内壁３４に接触する。端子金具１０は、接触部が端子収容室３１の内壁３４に埋め込まれた状態で接触する。【選択図】図６
2020135998.tif 000002
【特許請求の範囲】
【請求項１】
端子金具と、前記端子金具が収容される端子収容室を有するハウジングと、を備えるコネクタであって、
前記端子金具は、
相手側端子を受け入れる筒状の箱部と、
前記相手側端子に接触するように前記箱部に設けられる端子バネと、を有し、
前記端子バネと前記相手側端子との接触により、前記端子バネが曲がるように変形するとともに、前記端子バネの少なくとも一部である接触部が前記箱部の筒壁に設けられた開口箇所を経て前記端子収容室の内壁に接触する、ように構成される、
コネクタ。
【請求項２】
請求項１に記載のコネクタにおいて、
前記端子金具は、
前記接触部が前記端子収容室の前記内壁に埋め込まれた状態で接触する、ように構成される、
コネクタ。
【請求項３】
請求項１又は請求項２に記載のコネクタにおいて、
前記ハウジングは、
前記端子収容室の前記内壁に、前記端子バネの前記接触部が圧入される圧入箇所を有する、
コネクタ。
【請求項４】
請求項１〜請求項３の何れか一項に記載のコネクタにおいて、
前記端子バネは、
前記相手側端子に向けて凸となるように湾曲した湾曲面を有し、前記湾曲面と前記相手側端子との接触により、当該端子バネが曲がるように変形する、ように構成される、
コネクタ。
【発明の詳細な説明】
【技術分野】
【０００１】
本発明は、端子金具と、その端子金具が収容される端子収容室を有するハウジングと、を備えるコネクタ、に関する。
【背景技術】
【０００２】
従来から、端子バネが内蔵された箱部を有する端子金具（例えば、メス端子）をハウジングに収容したコネクタが提案されている。この種のコネクタでは、一般に、端子バネを相手側の端子金具（例えば、オス端子）に押圧接触させることで、双方の端子金具を電気的に接続するようになっている。
【０００３】
例えば、従来のコネクタの一つは、双方の端子金具の接続時に端子バネの先端部が箱部の筒壁と干渉することを避けるべく、箱部の筒壁に開口箇所（具体的には、貫通孔）を設けている。これにより、相手側端子に押圧された端子バネが筒壁に向けて湾曲しても、筒壁の開口箇所に端子バネの先端部が入り込むことで、端子バネの先端部と筒壁との干渉を避け得ることになる（例えば、特許文献１を参照）。
【先行技術文献】
【特許文献】
【０００４】
【特許文献１】特開２００６−１５６２８５号公報
【発明の概要】
【発明が解決しようとする課題】
【０００５】
上述した従来のコネクタでは、双方の端子金具を接続した後に振動などの外力がコネクタに及ぶと、箱部の筒壁の開口箇所（貫通孔）の中で端子バネの先端部が揺れ動く場合がある。この場合、端子バネと相手側の端子金具との接触および分離が繰り返されることで、双方の端子金具の間の電気的接続が不安定になる可能性がある。このような現象は、双方の端子金具の間の電気的接続を適正に維持する等の観点において、できる限り避けることが望ましい。
【０００６】
本発明は、上述した事情に鑑みてなされたものであり、その目的は、振動などの外力が及んでも端子間の電気的接続を適正に維持可能なコネクタ、を提供することにある。
【課題を解決するための手段】
【０００７】
前述した目的を達成するために、本発明に係るコネクタは、下記［１］〜［４］を特徴としている。
［１］
端子金具と、前記端子金具が収容される端子収容室を有するハウジングと、を備えるコネクタであって、
前記端子金具は、
相手側端子を受け入れる筒状の箱部と、
前記相手側端子に接触するように前記箱部に設けられる端子バネと、を有し、
前記端子バネと前記相手側端子との接触により、前記端子バネが曲がるように変形するとともに、前記端子バネの少なくとも一部である接触部が前記箱部の筒壁に設けられた開口箇所を経て前記端子収容室の内壁に接触する、ように構成される、
コネクタであること。
［２］
上記［１］に記載のコネクタにおいて、
前記端子金具は、
前記接触部が前記端子収容室の前記内壁に埋め込まれた状態で接触する、ように構成される、
コネクタであること。
［３］
上記［２］に記載のコネクタにおいて、
前記ハウジングは、
前記端子収容室の前記内壁に、前記端子バネの前記接触部が圧入される圧入箇所を有する、
コネクタであること。
［４］
上記［１］〜上記［３］の何れか一つに記載のコネクタにおいて、
前記端子バネは、
前記相手側端子に向けて凸となるように湾曲した湾曲面を有し、前記湾曲面と前記相手側端子との接触により、当該端子バネが曲がるように変形する、ように構成される、
コネクタであること。
【０００８】
上記［１］の構成のコネクタによれば、コネクタに収容された端子金具と相手側の端子金具（以下「相手側端子」という。）との電気的接続の際、端子金具の端子バネと相手側端子とが接触して端子バネが曲がるように変形する。そして、端子バネの少なくとも一部である接触部（例えば、端子バネの先端部）が、端子金具の箱部の筒壁に設けられた開口箇所を経て端子収容室の内壁に接触する。これにより、上述した従来のコネクタに比べ、端子バネの先端部が端子収容室の内壁に接触している分、仮に振動などの外力がコネクタに及んでも、端子バネが揺れ動くことが抑制される。したがって、本構成のコネクタは、従来のコネクタに比べ、振動などの外力が及んでも端子間の電気的接続を適正に維持可能である。
【０００９】
上記［２］の構成のコネクタによれば、端子バネの接触部（例えば、先端部）が端子収容室の内壁に埋め込まれた状態（換言すると、内壁に刺さった状態）となる。よって、単に端子バネの接触部が端子収容室の内壁に接触する場合に比べ、より強固に端子バネの揺れ動きを抑制できる。また、本構成のコネクタでは、端子バネが複数の箇所で支持された状態（例えば、端子収容室の内壁に埋め込まれた箇所と、端子バネの根本と、で支持された両持ち梁状）となるため、端子バネを相手側端子により強固に押圧接触させ得る。これらの結果、端子間の電気的接続を更に適正に維持可能となる。
【００１０】
上記［３］の構成のコネクタによれば、あらかじめ端子収容室の内壁に設けた圧入箇所（例えば、凹部）に端子バネの接触部（例えば、先端部）が圧入される。よって、あらかじめ圧入箇所を設けていない内壁に強引に端子バネの接触部を埋め込む（刺す）場合に比べ、より小さな力で接触部を内壁に埋め込むことができる。その結果、端子金具と相手側端子とを接続する際に要する力（いわゆる、相手側端子の挿入力）を小さくでき、端子金具と相手側端子との接続時の作業性を向上できる。
【００１１】
上記［４］の構成のコネクタによれば、端子バネと相手側端子とを接続する際、端子バネが有する湾曲面に相手側端子が接触する。よって、例えば、相手側端子が端子バネの先端の端面（例えば、プレス加工による打抜き面）の近傍などに接触する場合に比べ、端子の箱部内の正規位置に相手側端子をより確実に案内し得ることになる。その結果、端子間の電気的接続の信頼性を更に向上できる。
【発明の効果】
【００１２】
このように、本発明によれば、振動などの外力が及んでも端子間の電気的接続を適正に維持可能なコネクタ、を提供できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明の実施形態に係るコネクタに含まれるメス端子を示し、図１（ａ）は、その側面図であり、図１（ｂ）は、その底面図である。
【図２】図２は、図１（ｂ）のＡ−Ａ断面図（部分断面図）である。
【図３】図３は、メス端子に内蔵される端子バネを示し、図３（ａ）は、その斜視図であり、図３（ｂ）は、その平面図である。
【図４】図４（ａ）は、本発明の実施形態に係るコネクタと相手側コネクタとが嵌合する前の状態を示す縦断面図であり、図４（ｂ）は、図４（ａ）のＢ部の拡大図である。
【図５】図５（ａ）は、本発明の実施形態に係るコネクタと相手側コネクタとの嵌合動作の途中段階を示す縦断面図であり、図５（ｂ）は、図５（ａ）のＢ部の拡大図である。
【図６】図６（ａ）は、本発明の実施形態に係るコネクタと相手側コネクタとの嵌合が完了した状態を示す縦断面図であり、図６（ｂ）は、図６（ａ）のＢ部の拡大図であり、図６（ｃ）は、図６（ｂ）のＣ部の拡大図である。
【図７】図７は、本発明の実施形態の変形例に係るコネクタにおける端子バネの先端部と端子収容室の内壁との接触箇所を拡大して示す断面図である。
【発明を実施するための形態】
【００１５】
＜実施形態＞
以下、図面を参照しながら、本発明の実施形態に係るコネクタ１について説明する。図６（ａ）に示すように、コネクタ１は、メス端子１０と、メス端子１０を収容するメスハウジング３０とを含む。コネクタ１のメスハウジング３０と相手側コネクタ２のオスハウジング５０とを嵌合することで、メスハウジング３０に収容されたメス端子１０に接続された電線Ｗ１と、オスハウジング５０に収容されたオス端子４０に接続された電線Ｗ２とが互いに電気的に接続されるようになっている。
【００１６】
以下、説明の便宜上、図１，２，４に示すように、「前後方向」、「幅方向」、「上下方向」、「前」、「後」、「上」及び「下」を定義する。「前後方向」、「幅方向」及び「上下方向」は、互いに直交している。前後方向は、メスコネクタ１（メスハウジング３０）とオスコネクタ２（オスハウジング５０）との嵌合方向、メス端子１０のメスハウジング３０への挿入方向、及び、オス端子４０のオスハウジング５０への挿入方向、と一致している。コネクタ１及び相手側コネクタ２の各々について、相手側のコネクタが嵌合する嵌合方向正面側を前側とし、その反対の嵌合方向背面側を後側とする。以下、先ず、コネクタ１を構成する各部材について順に説明する。
【００１７】
先ず、メス端子１０について説明する。図１及び図２に示すように、金属製のメス端子１０は、１枚の金属板に対して打抜き加工や曲げ加工等を施すことにより、前後方向に細長い形状に作製される。メス端子１０の略前半領域には、前面の開口部１１からオス端子４０（具体的には、タブ部４１。図４（ａ）等参照）が挿入される角形の箱部１２が形成され、メス端子１０の略後半領域には、電線Ｗ１を加締めるバレル部１３が形成されている。
【００１８】
バレル部１３は、底板の幅方向両側縁から前後一対ずつの加締め片１４を立ち上げた形態とされる。バレル部１３の前側のワイヤバレル１４Ａは、電線Ｗ１の芯線を加締めるようになっており、バレル部１３の後側のインシュレーションバレル１４Ｂは、電線Ｗ１の被覆を加締めるようになっている。
【００１９】
箱部１２は、前後に細長く且つバレル部１３の底板に対して面一状に連なる底壁１５と、底壁１５の幅方向両側縁から立ち上がる一対の側壁１６と、幅方向一側の側壁１６の上端縁から幅方向他側に延びて底壁１５と対向するように形成された天井壁１７とから構成される。
【００２０】
図２に示すように、天井壁１７の後端部から下向きに延出した連結部１８が幅方向他側の側壁１６に沿って配されており、連結部１８の下端縁から、底壁１５に沿うようにして板状の端子バネ１９が配されている。
【００２１】
端子バネ１９は、箱部１２の内部において、箱部１２の後端部の底壁１５から前方（より正確には、前方且つやや上方）に向けて片持ち状に延出されており、その前端部は自由端となっている。端子バネ１９の後端部は、底壁１５に重ねられるように配されており、基端部２０とされている。端子バネ１９の前後方向略中央に位置する部分は、箱部１２の底壁１５に設けられた上方に隆起する隆起部２１と接する支点部２２として機能する（図３も参照）。
【００２２】
端子バネ１９の前端部（先端部）は、オス端子４０のタブ部４１との電気的接点として機能することになる接点部２３として機能する。図２及び図３に示すように、接点部２３は、上方へ打ち出し成形された部分である。このため、オス端子４０のタブ部４１と接触することになる接点部２３の上面は、上に凸となるように湾曲した湾曲面となっている。接点部２３の先端部は、下方（より正確には、下方且つやや前方）に向けて延びており、接点部２３の先端は、先窄まりの尖った形状を有している。
【００２３】
図１に示すように、端子バネ１９の基端部２０の側縁には、幅方向一側に突出する係止片２４が形成されている。係止片２４は、箱部１２の後端部において底壁１５及び幅方向一側の側壁１６にわたって形成された係止孔２５に緊密に嵌り込むことにより、端子バネ１９の基端部２０の位置決めがなされている。なお、図１（ｂ）に示すように、係止片２４は、箱部１２の幅方向一側の側壁１６から外方（幅方向一側）にはみ出さないようになっている。
【００２４】
図２に示すように、天井壁１７のうち、端子バネ１９の接点部２３の上方に位置する領域（平板領域）は、接点部２３とオス端子４０のタブ部４１との接触圧を確保するための受圧部２７とされている。天井壁１７のうち、受圧部２７の後方位置には、メスハウジング３０の後述するランス３３（図４（ａ）参照）と係止して、メスハウジング３０からのメス端子１０の後方への抜けを防止するためのランス孔２８が形成されている。
【００２５】
図１（ｂ）及び図２に示すように、底壁１５のうち、端子バネ１９の接点部２３の下方には、略矩形状をなす開口箇所２９が形成されている。オス端子４０のメス端子１０の箱部１２への挿入により、端子バネ１９が下方へ撓み変形したときに、接点部２３の先端部は、開口箇所２９を下方に向けて通過して、箱部１２の底壁１５の外面（下面）から下方に突出するようになっている。以上、メス端子１０について説明した。
【００２６】
次いで、メスハウジング３０について説明する。図４（ａ）に示すように、樹脂製のメスハウジング３０には、メス端子１０を収容するための端子収容室３１が形成されている。端子収容室３１は前後方向に貫通しており、端子収容室３１の前端開口は、オス端子４０のタブ部４１が挿通することになる挿通孔３２として機能する。端子収容室３１には、端子収容室３１に収容されたメス端子１０の後方への抜けを防止するためのランス３３が、端子収容室３１に臨むように設けられている。
【００２７】
メス端子１０の後端側には、前後一対ずつの加締め片１４により加締められた電線Ｗ１が接続される。電線Ｗ１が接続されたメス端子１０は、端子収容室３１の後側から、端子収容室３１の正規挿入位置まで挿入される。メス端子１０が正規挿入位置まで挿入されると、メス端子１０のランス孔２８にランス３３が係合することで、メス端子１０の後方への抜けが防止される。
【００２８】
メス端子１０が端子収容室３１の正規挿入位置に収容された状態では、図４（ｂ）に示すように、端子バネ１９の接点部２３の先端部が、開口箇所２９を介して、端子収容室３１を区画する底壁３４と上下方向に対向している。以上、コネクタ１を構成する各部材について説明した。
【００２９】
次いで、相手側コネクタ２を構成するオス端子４０及びオスハウジング５０について順に説明する。
【００３０】
図４（ａ）に示すように、金属製のオス端子４０の前端部には、前方へ向けて突出する棒状のタブ部４１が一体に設けられている。オス端子４０の後端側には、電線Ｗ２が接続される。オス端子４０の所定位置には、オスハウジング５０の後述するランス５３（図４（ａ）参照）と係止して、オスハウジング５０からのオス端子４０の後方への抜けを防止するための係止部４２が形成されている。
【００３１】
樹脂製のオスハウジング５０には、オス端子４０を収容するための端子収容室５１が形成されている。端子収容室５１は前後方向に貫通している。オスハウジング５０には、端子収容室５１の前端に隣接して、前方に開口する有底筒状のフード部５２が形成されている。フード部５２の内部空間は、メスハウジング３０と嵌合可能な形状を有している。フード部５２の内部空間は、端子収容室５１と前後方向に連通している。端子収容室５１には、端子収容室５１に収容されたオス端子４０の後方への抜けを防止するためのランス５３が、端子収容室５１に臨むように設けられている。
【００３２】
電線Ｗ２が接続されたオス端子４０は、端子収容室５１の後側から、端子収容室５１の正規挿入位置まで挿入される。オス端子４０が正規挿入位置まで挿入されると、オス端子４０の係止部４２にランス５３が係合することで、オス端子４０の後方への抜けが防止される。
【００３３】
オス端子４０が端子収容室５１の正規挿入位置に収容された状態では、図４（ａ）に示すように、オス端子４０のタブ部４１が、フード部５２の内部にて、フード部５２の底面から前方へ突出している。以上、相手側コネクタ２を構成する各部材について説明した。
【００３４】
次いで、コネクタ１と相手側コネクタ２との嵌合について説明する。コネクタ１と相手側コネクタ２とを嵌合させるには、図４（ａ）に示すように、先ず、コネクタ１のメスハウジング３０と相手側コネクタ２のオスハウジング５０とを、互いの前端面同士が対向するように配置する。この状態では、図４（ｂ）に示すように、メス端子１０の端子バネ１９は弾性変形していないので、端子バネ１９の接点部２３の先端部は、箱部１２の内部（底壁１５の上方）に位置する。
【００３５】
次いで、図５（ａ）に示すように、メスハウジング３０をオスハウジング５０のフード部５２に挿入する。これにより、オス端子４０のタブ部４１が、図５（ｂ）に示すように、メスハウジング３０の挿通孔３２及びメス端子１０の開口部１１を挿通して、受圧部２７と接点部２３との間に進入する。このとき、接点部２３がオス端子４０に向けて凸となる湾曲面を有しているため、オス端子４０が接点部２３の先端の端面（例えば、打抜き面）の近傍などに接触する場合に比べ、メス端子１０の箱部１２内の正規位置にオス端子４０をより確実に案内し得ることになる。
【００３６】
挿入が進行して、図６（ａ）に示すように、メスハウジング３０の前端面がオスハウジング５０のフード部５２の底壁に当接すると、メスハウジング３０（コネクタ１）とオスハウジング５０（相手側コネクタ２）との嵌合が完了する。
【００３７】
嵌合完了状態では、図６（ｂ）に示すように、受圧部２７と接点部２３との間に進入したタブ部４１の下面が、接点部２３の上面（湾曲面）を下方に押圧することで、端子バネ１９が、隆起部２１と接する支点部２２を支点として、下方へ撓み変形する。
【００３８】
このように撓み変形した端子バネ１９の弾性復元力により、オス端子４０のタブ部４１が接点部２３と受圧部２７との間に挟持されて、メス端子１０（の電線Ｗ１）と、オス端子４０（の電線Ｗ２）とが電気的に接続される。
【００３９】
嵌合完了状態では、端子バネ１９の下方への撓み変形により、図６（ｂ）及び図６（ｃ）に示すように、接点部２３の先端部が、開口箇所２９を下方に向けて通過して、箱部１２の底壁１５の外面（下面）から下方に突出し、端子収容室３１を区画する底壁３４の内面（上面）に突き刺さる。このように接点部２３の先端部が底壁３４に突き刺さることで、接点部２３の先端部が底壁３４に埋め込まれた状態となる。即ち、端子バネ１９が、両持ち梁状の形態を有することになる。この結果、振動などの外力が及んでも接点部２３が揺れ動くことが抑制され、且つ、接点部２３がタブ部４１に及ぼす弾性力が高まる。よって、端子バネ１９とタブ部４１とが接触した状態を適正に維持できる。
【００４０】
＜作用・効果＞
以上、本発明の実施形態に係るコネクタ１によれば、コネクタ１のメスハウジング３０に収容されたメス端子１０とオス端子４０との電気的接続の際、メス端子１０の端子バネ１９とオス端子４０のタブ部４１とが接触して端子バネ１９が曲がるように変形する。そして、端子バネ１９の接点部２３の先端部が、メス端子１０の箱部１２の底壁１５に設けられた開口箇所２９を通じて端子収容室３１の底壁３４に接触する。これにより、上述した従来のコネクタのように端子バネの先端部が自由に変位可能な場合に比べ、端子バネ１９の接点部２３の先端部が端子収容室３１の底壁３４に接触している分、振動などの外力に対する端子バネ１９の変位が抑制される。したがって、コネクタ１は、相手側コネクタ２との嵌合完了状態において振動などの外力が及んでも端子間の電気的接続を適正に維持可能である。
【００４１】
更に、コネクタ１によれば、相手側コネクタ２との嵌合完了状態において、端子バネ１９の接点部２３の先端部が端子収容室３１の底壁３４に埋め込まれた状態（刺さった状態）となる。よって、単に接点部２３の先端部が底壁３４に接触する場合に比べ、更に端子間の電気的接続を確実に維持可能となる。また、端子バネ１９が両持ち梁状の形態を有することになるため、端子バネ１９がオス端子４０のタブ部４１に及ぼす弾性力が高まり、端子バネ１９とオス端子４０とが接触した状態を更に適正に維持できる。
【００４２】
更に、コネクタ１によれば、端子バネ１９におけるタブ部４１と接触することになる接点部２３の上面は、上に凸となるように湾曲した湾曲面となっている。この結果、接点部２３の上面が、オス端子４０のタブ部４１を正規位置（接点部２３と受圧部２７との間）により確実に案内でき、タブ部４１が誤って接点部２３と底壁１５との間に入り込むこと等を抑制できる。
【００４３】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
上記実施形態では、嵌合完了状態において、端子バネ１９の接点部２３の先端部が、端子収容室３１の底壁３４に突き刺さることで、底壁３４に埋め込まれた状態となる。これに対し、図７に示すように、底壁３４に凹部３５を形成し、嵌合完了状態において、端子バネ１９の接点部２３の先端部が、底壁３４の凹部３５に圧入されることで、底壁３４に埋め込まれた状態となるように構成してもよい。これにより、凹部３５が無い底壁３４に強引に端子バネ１９の接点部２３の先端部を刺す上記実施形態に比べ、より容易に端子バネ１９の接点部２３の先端部を端子収容室３１の底壁３４に埋め込むことができる。よって、オス端子４０をメス端子１０に挿入する際の挿入力（ひいては、コネクタ１，２同士の嵌合力）を小さくすることができ、コネクタ１を相手側コネクタ２に容易に嵌合できることになる。
【００４５】
更に、嵌合完了状態において、接点部２３の先端部が、端子収容室３１の底壁３４に突き刺さることなく（底壁３４に埋め込まれることなく）底壁３４に押圧接触していてもよい。これによっても、接点部２３の先端部が底壁３４に接触しない場合（端子バネ１９の先端部が自由に変位可能な場合）に比べ、接触部に発生する摩擦力等に起因して、振動などの外力に対する端子バネ１９の変位が抑制され得る。この場合、接点部２３の先端を、尖った形状とする必要はなく、平坦面とすることができる。
【００４６】
更に、上記実施形態では、端子バネ１９の接点部２３の先端部が、端子収容室３１の底壁３４に接触する（具体的には、埋め込まれる）ようになっている。しかし、端子収容室３１の底壁３４に接触するのは、必ずしも接点部２３の先端部である必要はなく、端子バネ１９のうち、外力などに起因する端子バネ１９の揺れ動きを抑制する観点において適切な箇所が、端子収容室３１の底壁３４に接触すればよい。即ち、端子バネ１９の少なくとも一部が、端子収容室３１の底壁３４に接触する接触部として機能すればよい。
【００４７】
ここで、上述した本発明に係るコネクタ１の実施形態の特徴をそれぞれ以下［１］〜［４］に簡潔に纏めて列記する。
［１］
端子金具（１０）と、前記端子金具（１０）が収容される端子収容室（３１）を有するハウジング（３０）と、を備えるコネクタ（１）であって、
前記端子金具（１０）は、
相手側端子（４０）を受け入れる筒状の箱部（１２）と、
前記相手側端子（４０）に接触するように前記箱部（１２）に設けられる端子バネ（１９）と、を有し、
前記端子バネ（１９）と前記相手側端子（４０）との接触により、前記端子バネ（１９）が曲がるように変形するとともに、前記端子バネ（１９）の少なくとも一部である接触部（接点部２３の先端部）が前記箱部（１２）の筒壁（１５）に設けられた開口箇所（２９）を経て前記端子収容室（３１）の内壁（３４）に接触する、ように構成される、
コネクタ（１）。
［２］
上記［１］に記載のコネクタ（１）において、
前記端子金具（１０）は、
前記接触部（接点部２３の先端部）が前記端子収容室（３１）の前記内壁（３４）に埋め込まれた状態で接触する、ように構成される、
コネクタ（１）。
［３］
上記［２］に記載のコネクタ（１）において、
前記ハウジング（３０）は、
前記端子収容室（３１）の前記内壁（３４）に、前記端子バネ（１９）の前記接触部（接点部２３の先端部）が圧入される圧入箇所（３５）を有する、
コネクタで（１）。
［４］
上記［１］〜上記［３］の何れか一つに記載のコネクタ（１）において、
前記端子バネ（１９）は、
前記相手側端子（４０）に向けて凸となるように湾曲した湾曲面を有し、前記湾曲面と前記相手側端子（４０）との接触により、当該端子バネ（１９）が曲がるように変形する、ように構成される、
コネクタ（１）。
【符号の説明】
【００４８】
１      コネクタ
１０    メス端子（端子金具）
１２    箱部
１５    底壁（筒壁）
１９    端子バネ
２３    接点部
２９    開口（開口箇所）
３０    メスハウジング（ハウジング）
３１    端子収容室
３４    底壁（内壁）
３５    凹部（圧入箇所）
４０    オス端子（相手側端子）
【図１】
2020135998.tif 000003
【図２】
2020135998.tif 000004
【図３】
2020135998.tif 000005
【図４】
2020135998.tif 000006
【図５】
2020135998.tif 000007
【図６】
2020135998.tif 000008
【図７】
2020135998.tif 000009